(57)【要約】【課題】  リンパ節を放射線検出により探索同定する場合に用いることによって、放射線検出器本体として高い放射線指向性を有するものを用いなくても、極めて速やかに且つ極めて高精度に行うことができるようにする。【解決手段】  放射線検出器本体を内装し且つその電気的出力を外部に導出するようになされている放射線検出器を挿通し得る外套管を有する鏡視下手術用トラカールにおいて、外套管が、その内に放射線検出器を配置して使用することを予定している長さを有し、且つ少なくともその先端から放射線検出器を外套管内に配置して使用するときのその放射線検出器の配置位置に対応する位置までの領域において、放射線遮蔽用材でなり、または外套管の外面及びまたは内面が、少なくともその先端から放射線検出器の配置位置に対応する位置までの領域において、放射線遮蔽用層で覆われている。【選択図】図１
2006051249.tif 000002
【特許請求の範囲】
【請求項１】
放射線検出器本体を内装し且つその電気的出力を外部に導出するようになされている放射線検出器を挿通し得る外套管を有する鏡視下手術用トラカールにおいて、
上記外套管が、その内に上記放射線検出器を配置して使用することを予定している長さを有し、且つ少なくともその先端から上記放射線検出器を上記外套管内に配置して使用するときのその放射線検出器の配置位置に対応する位置までの領域において、放射線遮蔽用材でなり、または上記外套管の外面及びまたは内面が、少なくともその先端から上記放射線検出器の上記配置位置に対応する位置までの領域において、放射線遮蔽用層で覆われていることを特徴とする鏡視下手術用トラカール。
【発明の詳細な説明】
【技術分野】
【０００１】
本発明は、放射線検出器本体を内装し且つその電気的出力を外部に導出するようになされている放射線検出器を挿通し得る外套管を有する鏡視下手術用トラカールに関する。
【背景技術】
【０００２】
従来、腫瘍の細胞がリンパ節を介して転移することから、その転移を阻止すべく、その転移の危険性があるリンパ節を鏡視下で郭清（切除）する、という鏡視下リンパ節郭清手術が行われている。
【０００３】
ところで、その鏡視下リンパ節郭清手術においては、その手術に先立ち、腫瘍の細胞が転移する危険性のあるリンパ節を探索同定する必要があるが、従来、そのリンパ節を探索同定するリンパ節探索同定方法として、腫瘍の生成部位またはその近傍に放射性同位元素を含む放射性物質を打ち込み、一方、それによってその放射性物質がリンパ管を通ってリンパ節に達することから、そのリンパ節に達した放射性物質から放射される放射線を検出すべく、図２Ａに示されているような、把持部Ｇから延長している支持管Ｈの遊端に取付けられているとともに放射線検出器本体Ｍを内装し且つその電気的出力を支持管Ｈ及び把持部Ｇ内を通って延長している導線を介して外部に導出するようになされている放射線検出器Ｄを把持部Ｇ及び支持管Ｈを介して挿通し得る、図２Ａに示されているような、ガス導入・器具挿入案内部Ｑから延長している外套管Ｂを有する鏡視下手術用トラカールＴを、そのガス導入・器具挿入案内部Ｑ側から外套管Ｂを通って体腔内にガスを導入して、鏡視下で用い、その鏡視下手術用トラカールＴの外套管Ｂに、図２Ｂに示すように、放射線検出器Ｄを、それが把持部Ｇ及び支持管Ｈを介して外套管Ｂの先端から突出するように、ガス導入・器具挿入案内部Ｑ側から挿通し、その状態で、その放射線検出器Ｄで放射線を検出するようにし、そして、そのとき、鏡視下手術用トラカールＴの外套管Ｂの向きを、放射線検出器Ｄの向きとともに、その放射線検出器Ｄが放射線を最大検出値で検出するように変化させ、それによって、放射線検出器Ｄが放射線を最大検出値で検出するときの鏡視下手術用トラカールＴの外套管Ｂの向きが放射線検出器Ｄの向きとともに決まれば、その鏡視下手術用トラカールＴの外套管Ｂ乃至放射線検出器Ｄが向いている先に腫瘍の細胞が転移する危険性のあるリンパ節が存在するとして、腫瘍の細胞が転移する危険性のあるリンパ節を探索同定する、という方法が提案されている。
【発明の開示】
【発明が解決しようとする課題】
【０００４】
上述したリンパ節探索同定方法によれば、上述したところから明らかなように、上述した鏡視下リンパ節郭清手術に先立ち、腫瘍の細胞が転移する危険性のあるリンパ節を探索同定するのに適用することができる。
【０００５】
しかしながら、上述したリンパ節探索同定方法の場合、それに用いる鏡視下手術用トラカールＴが、上述したところから明らかなように、外套管Ｂをして、放射線検出器Ｄを外套管Ｂの先端から突出させて使用することを予定している長さを有するのを普通とし、すなわち、外套管Ｂ内に放射線検出器Ｄを配置して使用することを予定していない比較的短い長さを有するのを普通とし、このため、放射線検出器Ｄを鏡視下手術用トラカールＴの外套管Ｂの先端から突出させた状態で、その放射線検出器Ｄで、リンパ節に達した放射性物質から放射される放射線を検出するのを余儀なくされ、よって、その検出時、その放射線検出器Ｄが、いま探索同定しようとしているリンパ節に達した放射性物質から放射される放射線以外の、いま探索同定しようとしているリンパ節以外のリンパ節に達した放射性物質から放射される放射線や、腫瘍の生成部位またはその近傍に打込まれた放射性物質もしくはその漏れから放射される放射線をも検出する。
【０００６】
このようなことから、上述したリンパ節探索同定方法の場合、上述した鏡視下リンパ節郭清手術に先立ち、腫瘍の細胞が転移する危険性のあるリンパ節を可能な限り速やかに且つ可能な限り放射線を検出して高精度に探索同定しなければならない高い必要性があるにも拘らず、放射線の検出に用いる放射線検出器Ｄが内装している放射線検出器本体Ｍとして高い放射線指向性を有するものを用いるとしても、腫瘍の細胞が転移する危険性のあるリンパ節を、放射線の検出により可能な限り速やかに且つ可能な限り高精度に探索同定するのに、一定の限度を有していた。
【０００７】
よって、本発明は、上述したリンパ節探索同定方法に用いて腫瘍の細胞が転移する危険性のあるリンパ節を上述した鏡視下リンパ節郭清手術に先立ち放射線の検出により探索同定する場合に、その探索同定を、その放射線の検出に用いる放射線検出器Ｄが内装している放射線検出器本体Ｍとして高い放射線指向性を有するものを用いなくても、極めて速やかに且つ極めて高精度に行うことができる、新規な鏡視下手術用トラカールを提案せんとするものである。
【課題を解決するための手段】
【０００８】
本発明による鏡視下手術用トラカールは、放射線検出器本体を内装し且つ電気的出力を外部に導出するようになされているそれ自体公知の種々の放射線検出器を挿通し得る外套管を有する、それ自体公知の種々の鏡視下手術用トラカールの構成を有する。
【０００９】
しかしながら、本発明による鏡視下手術用トラカールは、そのような構成を有する鏡視下手術用トラカールにおいて、その外套管が、その内に放射線検出器を配置して使用することを予定している長さを有し、且つ少なくともその先端から放射線検出器を外套管内に配置して使用するときのその放射線検出器の配置位置に対応する位置までの領域において、放射線遮蔽用材でなり、または外套管の外面及びまたは内面が、少なくともその先端から放射線検出器の上記の配置位置に対応する位置までの領域において、放射線遮蔽用層で覆われている。
【発明の効果】
【００１０】
本発明による鏡視下手術用トラカールによれば、それが、［背景技術］の項で図２を伴って上述した外套管Ｂを有する鏡視下手術用トラカールＴに対応することは明らかであり、よって、［背景技術］の項で上述した鏡視下リンパ節郭清手術に先立ち、本発明による鏡視下手術用トラカールを、その外套管内に、放射線検出器を配置して、［背景技術］の項で上述したリンパ節探索同定方法に同様に用いて、放射線検出器で放射線を検出するようにすれば、そのリンパ節探索同定方法によって、［背景技術］の項で上述した従来の場合と同様に、腫瘍の細胞が転移する危険性のあるリンパ節を探索同定することができる。
【００１１】
しかしながら、この場合のリンパ節探索同定方法に用いている本発明による鏡視下手術用トラカールが、その外套管をして、その内に放射線検出器を配置して使用することを予定している長さを有し、このため、放射線検出器を鏡視下手術用トラカールの外套管内に配置した状態で、その放射線検出器で、リンパ節に達した放射性物質から放射される放射線を検出することができ、しかも、この場合、鏡視下手術用トラカールの外套管が、少なくともその先端から放射線検出器を外套管内に配設して使用するときのその放射線検出器の配置位置に対応する位置までの領域において、放射線遮蔽用材でなり、または外套管の外面及びまたは内面が、少なくともその先端から放射線検出器の上記の配置位置に対応する位置までの領域において、放射線遮蔽用層で覆われている。
【００１２】
このため、放射線検出器によるリンパ節に達した放射性物質から放射される放射線の検出時、その放射線検出器がいま探索同定しようとしているリンパ節に達した放射性物質から放射される放射線以外の、いま探索同定しようとしているリンパ節以外のリンパ節に達した放射性物質から放射される放射線や、腫瘍の生成部位またはその近傍に打込まれた放射性物質もしくはその漏れから放射される放射線をも不必要に検出することを、有効、確実に回避させることができる。
【００１３】
よって、上述した本発明による鏡視下手術用トラカールをその外套管内に放射線検出器を配置して用いたリンパ節探索同定方法の場合、それに用いる放射線検出器が内装している放射線検出器本体として高い放射線指向性を有するものを用いなくても、腫瘍の細胞が転移する危険性のあるリンパ節を極めて速やかに且つ極めて高精度に探索同定することができる。
【００１４】
以上のことから、本発明による鏡視下手術用トラカールによれば、その外套管内に放射線検出器を配置して、上述したリンパ節探索同定方法に用い、腫瘍の細胞が転移する危険性のあるリンパ節を上述した鏡視下リンパ節郭清手術に先立ち探索同定する場合に、その探索同定を、それに用いる放射線検出器が内装している放射線検出器本体として高い放射線指向性を有するものを用いなくても、腫瘍の細胞が転移する危険性のあるリンパ節を可能な限り速やかに且つ可能な限り高精度に探索同定しなければならない高い必要性に応え、極めて速やかに且つ極めて高精度に行うことができる、という大なる特徴を有する。
【実施例１】
【００１５】
次に、図１を伴って、本発明による鏡視下手術用トラカールの実施例を述べよう。
図１において、図２との対応部分には同一符号を付して示す。
【００１６】
図１に示す本発明による鏡視下手術用トラカールの実施例は、図２を伴って上述したと同様の放射線検出器本体Ｍを内装し且つその電気的出力Ｅを外部に導出するようになされた放射線検出器Ｄを、図２を伴って上述したように挿通し得る、図２を伴って上述した外套管Ｂに対応した外套管Ｂを有する、図２を伴って上述した鏡視下手術用トラカールＴに対応した鏡視下手術用トラカールＴの構成を有する。
【００１７】
図１に示す本発明による鏡視下手術用トラカールの実施例は、図２を伴って上述した鏡視下手術用トラカールＴに対応した構成を有する鏡視下手術用トラカールＴにおいて、（Ａ）その外套管Ｂが、その内に放射線検出器Ｄを配置して使用することを予定している長さを有し、且つ（Ｂ）（イ）外套管Ｂが、（ａ）その全域、または（ｂ）先端Ｆから放射線検出器Ｄを配置して使用するときのその放射線検出器の配置位置に対応する位置を超えた位置までの領域、（ｃ）先端Ｆから放射線検出器Ｄを配置して使用するときのその放射線検出器の配置位置に対応する位置までの領域など、少なくとも、先端Ｆから放射線検出器Ｄを配置して使用するときのその放射線検出器の配置位置に対応する位置までの図において放射線遮蔽領域Ｚとして示している領域において、Ｐｂ、Ｗなどの放射線遮蔽材（図示せず）でなり、または、（ロ）外套管Ｂの外面Ｋ及びまたは内面Ｊが、（ａ）その全域、（ｂ）先端Ｆから放射線検出器Ｄを配置して使用するときのその放射線検出器の配置位置に対応する位置を超えた位置までの領域、（ｃ）先端Ｆから放射線検出器Ｄを配置して使用するときのその放射線検出器の配置位置に対応する位置までの領域など、少なくとも、先端Ｆから放射線検出器Ｄを配置して使用するときのその放射線検出器の配置位置に対応する位置までの図において放射線遮蔽領域Ｚとして示している領域において、Ｐｂ、Ｗなどでなる放射線遮蔽層（図示せず）で覆われている。
【００１８】
以上が、本発明による鏡視下手術用トラカールの実施例の構成である。
このような構成を有する本発明による鏡視下手術用トラカールＴの実施例によれば、それが、［背景技術］の項で図２を伴って上述した放射線検出器Ｄを挿通し得る外套管Ｂを有する鏡視下手術用トラカールＴに対応していることは明らかであり、よって、［背景技術］の項で上述した鏡視下リンパ節郭清手術に先立ち、本発明による鏡視下手術用トラカールＴの実施例を、図１Ｂに示すように、その外套管Ｂ内に、上述した放射線検出器Ｄを配置して、［背景技術］の項で上述したリンパ節探索同定方法に同様に用いて、放射線検出器Ｄで放射線を検出するようにすれば、そのリンパ節探索同定方法によって、［背景技術］の項で上述した従来の場合と同様に、腫瘍の細胞が転移する危険性のあるリンパ節を探索同定することができる。
【００１９】
しかしながら、この場合のリンパ節探索同定方法に用いている本発明による鏡視下手術用トラカールＴの実施例が、その外套管Ｂをして、その内に放射線検出器Ｄを配置して使用することを予定している長さを有し、このため、放射線検出器Ｄを鏡視下手術用トラカールＴの外套管Ｂ内に配置した状態で、その放射線検出器Ｄで、リンパ節に達した放射性物質から放射される放射線を検出することができ、しかも、この場合、鏡視下手術用トラカールＴの外套管Ｂが、少なくともその先端Ｆから放射線検出器Ｄを配置して使用するときのその放射線検出器Ｄの挿入配置位置に対応する位置までの放射線遮蔽領域Ｚとして示している領域において、放射線遮蔽用材でなり、または外套管Ｂの外面Ｋ及びまたは内面Ｊが、少なくともその先端Ｆから放射線検出器Ｄが挿入配置されている状態で使用されるときのその放射線検出器の挿入配置位置に対応する位置までの放射線遮蔽領域Ｚとして示している領域において、放射線遮蔽用層で覆われている。
【００２０】
このため、放射線検出器Ｄによるリンパ節に達した放射性物質から放射される放射線の検出時、その放射線検出器Ｄがいま探索同定しようとしているリンパ節に達した放射性物質から放射される放射線以外の、いま探索同定しようとしているリンパ節以外のリンパ節に達した放射性物質から放射される放射線や、腫瘍の生成部位またはその近傍に打込まれた放射性物質もしくはその漏れから放射される放射線をも不必要に検出することを有効、確実に回避させることができる。
【００２１】
よって、上述した本発明による鏡視下手術用トラカールＴの実施例をその外套管Ｂ内に放射線検出器Ｄを配置して用いたリンパ節探索同定方法の場合、それに用いる放射線検出器Ｄが内装している放射線検出器本体Ｍとして高い放射線指向性を有するものを用いなくても、腫瘍の細胞が転移する危険性のあるリンパ節を極めて速やかに且つ極めて高精度に探索同定することができる。
【００２２】
以上のことから、本発明による鏡視下手術用トラカールＴの実施例によれば、その外套管Ｂ内に放射線検出器Ｄを配置して、上述したリンパ節探索同定方法に用い、腫瘍の細胞が転移する危険性のあるリンパ節を上述した鏡視下リンパ節郭清手術に先立ち探索同定する場合に、その探索同定を、それに用いる放射線検出器Ｄが内装している放射線検出器本体Ｍとして高い放射線指向性を有するものを用いなくても、腫瘍の細胞が転移する危険性のあるリンパ節を可能な限り速やかに且つ可能な限り高精度に探索同定しなければならない高い必要性に応え、極めて速やかに且つ極めて高精度に行うことができる、という大なる特徴を有する。
【００２３】
なお、上述においては、図２を伴って上述した鏡視下手術用トラカールＴに対応した構成を有する鏡視下手術用トラカールに本発明を適用した場合を述べたに過ぎず、要は、放射線検出器本体を内装し且つその電気的出力を外部に導出するようになされている放射線検出器を挿通し得る外套管を有するそれ自体公知の種々の鏡視下手術用トラカールであれば、従って、図２を伴って上述した鏡視下手術用トラカールＴにおいてガス導入・器具挿入案内部Ｑがガス導入部を有しない器具案内部から延長している外套管を有する鏡視下手術用トラカールであっても、それに、本発明を適用して、上述したと同様の作用・効果を得ることができることは明らかであろう。
【産業上の利用可能性】
【００２４】
本発明による鏡視下手術用トラカールは、上述したリンパ節探索同定方法に用いる場合ばかりでなく、広く、体内の放射線源が存在している部位を探索同定する方法に用いて、上述したリンパ節探索同定方法の場合に準じた作用・効果を得ることができる。
【図面の簡単な説明】
【００２５】
【図１】本発明による鏡視下手術用トラカールの実施例を、その外套管内に放射線検出器を配置していない状態（図１Ａ）及びその外套管内に放射線検出器を配置している状態（図１Ｂ）で、鏡視下手術用トラカールについて一部を断面として示す略線図である。
【図２】従来の鏡視下手術用トラカールを、その外套管内に放射線検出器を挿通していない状態（図２Ａ）及びその外套管内に放射線検出器を挿通している状態（図２Ｂ）で、鏡視下手術用トラカールについて一部を断面として示す略線図である。
【符号の説明】
【００２６】
Ｂ    外套管
Ｄ    放射線検出器
Ｇ    把持部
Ｈ    支持管
Ｍ    放射線検出器本体
Ｑ    ガス導入・器具挿入案内部
Ｔ    鏡視下手術用トラカール
Ｚ    放射線遮蔽領域
【図１】
2006051249.tif 000003
【図２】
2006051249.tif 000004